(57)【要約】      （修正有）【課題】ロッドホルダ、又は手摺りに取り付けできて、汎用性と、用途の拡充が図れる、ルアー、釣針の収容具を提供する。【解決手段】ルアーＡ、釣針を収容する袋部１を有しており、袋部の上部の一方には第１、第２の係止手段３０，３１、又は第４の係止手段を、また、下部には、第３の係止手段３２を、それぞれ設ける構成としたルアー、釣針の収容具である。【選択図】図２−１
0003185430.tif 000002
【実用新案登録請求の範囲】
【請求項１】
ルアー、釣針を収容する袋部を有しており、この袋部の上部の一方には第１、第２の係止手段、又は第４の係止手段を、また、下部には、第３の係止手段を、それぞれ設ける構成とした収容具。
【請求項２】
前記第１、２の係止手段は、袋部より延設する帯部の自由端に設けた環状部に形成する構成であって、
この第１の係止手段は、この環状部の外側に接線方向に設けた第１枝部と、この第１枝部の一方端部に設けた第１球体と、この第１枝部の他方端部に設けた第１環体とで構成し、
また、前記第２の係止手段は、前記環状部の内側の一方側の放射方向に設けた第２枝部と、この第２枝部の自由端に設けた第２環体と、該環状部の内側の他方側に設けた第２球体とで構成した請求項１に記載の収容具。
【請求項３】
前記袋部の上部を扁平筒状とする構成とした請求項１に記載の収容具。
【請求項４】
前記第３の係止手段は、袋部の底部の外側に接線方向に設けた第３枝部と、この第３枝部の両端部に設けた球体と環体で構成した請求項１に記載の収容具。
【請求項５】
前記袋部の底部の正面に、釣針係止用のリングを設ける構成とした請求項１に記載の収容具。
【考案の詳細な説明】
【技術分野】
【０００１】
本考案は、船舶のキャビンの壁面、又は船舶の左右舷の内側壁に配備した、収容筒具（商品名、ロッドホルダ）、又は手摺、釣竿、ベルト、その他棒等に取付けできるルアー、釣針等の釣具を収容できる収容具に関する。
【背景技術】
【０００２】
この種の収容具に関しては、本出願人は、複数の出願をして、登録を得ている。今回は、大型のルアーを始めとして、複数の釣針（針）、電池等の釣道具を、１個、又は複数個収容できる、比較的、大型で、かつ汎用性がある収容具に関する。そして、特に、釣船（船舶）に配備されたロッドホルダ、又は手摺等に取付けできる収容具に関する。
【０００３】
この収容具の中で、ロッドホルダ、又は手摺に取付けできる構造はないが、一部の収容具で、市販されていないものには、釣竿に取付ける構造とか、特許等の公開公報に記載の発明等が挙げられる。特開２００１−２０４３０８号公報がある。しかし、この発明は、釣竿に取付けたルアー収容具であり、本考案の如く、ロッドホルダ、又は手摺に取付けできる収容具に関するものではない。また、同様な構造として、特開平１１−３４６６０６号公報に記載の発明が挙げられる。
【０００４】
【特許文献１】特開２００１−２０４３０８号公報
【特許文献２】特開平１１−３４６６０６号公報
【考案の概要】
【考案が解決しようとする課題】
【０００５】
以上で説明した文献の発明は、原則として、釣竿に取付ける構造であり、釣竿を把持して移動するには適する。この構造の如く、釣竿取付け構造の収容具では、使用の範囲が狭く、利用分野が限定されている。
【０００６】
従って、本考案が意図する構造の各収容具、（１）  ロッドホルダ、又は手摺に取付けできるルアー、釣針を収容する収容具であり、汎用性と、用途の拡充が図れる収容具、（２）  釣具の中でも、ルアーの如く、取換え収容頻度があるものを対象とした収容具、又は釣針の如く、鋭利な刃先部（損傷物）を有するものを対象とした収容具、（３）  大型ルアー、複数釣針等の如く、大型釣具等の収容を可能とする収容具に関しては、十分でない。
【課題を解決するための手段】
【０００７】
本考案は、前記（１）〜（３）の収容具を提供することを意図し、請求項１〜請求項５を提供する。
【考案の効果】
【０００８】
請求項１の考案は、ルアー、釣針を収容する袋部を有しており、袋部の上部の一方には第１、第２の係止手段、又は第４の係止手段を、また、下部には、第３の係止手段を、それぞれ設ける構成としたルアー、釣針の収容具である。
【０００９】
従って、請求項１では、下記の効果が期待できる。
【００１０】
（１）  ロッドホルダ、又は手摺に取付けできる収容具であり、汎用性と、用途の拡充が図れる収容具、（２）  釣具の中でも、ルアーの如く、取換え収容頻度があるものを対象とした収容具、又は釣針の如く、鋭利な刃部（損傷物）を有するものを対象とした収容具、（３）  大型ルアー、複数釣針等の如く、大型釣具等の収容を可能とする収容具を提供できる。
【００１１】
請求項２の考案は、前記第１、２の係止手段は、袋部より延設する帯部の自由端に設けた環状部に形成する構成であって、
第１の係止手段は、環状部の外側に接線方向に設けた第１枝部と、第１枝部の一方端部に設けた第１球体と、第１枝部の他方端部に設けた第１環体とで構成し、
また、第２の係止手段は、環状部の内側の一方側の放射方向に設けた第２枝部と、第２枝部の自由端に設けた第２環体と、環状部の内側の他方側に設けた第２球体とで構成した請求項１に記載の収容具である。
【００１２】
従って、請求項２では、請求項１の目的を達成するに最適な、第１、第２の係止手段を提供できる。
【００１３】
請求項３の考案は、袋部の上部を扁平筒状とする構成とした請求項１に記載の収容具である。
【００１４】
従って、請求項３では、請求項１の目的を達成するに最適な、袋部を提供できる。
【００１５】
請求項４の考案は、第３の係止手段は、袋部の底部の外側に接線方向に設けた第３枝部と、この第３枝部の両端部に設けた球体と環体で構成とした請求項１に記載の収容具である。
【００１６】
請求項５の考案は、袋部の底部の正面に、釣針係止用のリングを設ける構成とした請求項１に記載の収容具である。
【００１７】
従って、請求項４、５では、請求項１の目的を達成するに最適な、第３の係止手段を提供できる。
【図面の簡単な説明】
【００１８】
【図１−１】収容具の展開した状態の正面図
【図１−２】収容具の第１〜第３の係止手段を連結し係止輪を形成した状態の平面図
【図２−１】係止輪を作った収容具に、大型のルアーを収容した斜視図
【図２−２】収容具に、大型のルアーを収容した斜視図
【図３−１】船舶のキャビンに設けたロッドホルダに釣竿を収容し、係止した収容具のリングに、釣針を収容した状態の模式図
【図３−２】船舶のキャビンに設けたロッドホルダに釣竿を収容し、係止した収容具のリングに、大型のルアーと釣針を収容した状態の模式図
【図３−３】船舶のキャビンに設けたロッドホルダに釣竿を収容し、ロッドホルダの横板に、釣針を係止した状態の参考模式図
【図４】船舶の舷に設けたロッドホルダに釣竿を収容した状態の参考模式図
【図５】船舶の手摺に設けたロッドホルダに釣竿を収容し、係止した収容具のリングに、ルアーと釣針を収容した状態の模式図
【図６】釣竿に収容具を取付け、この収容具に、ルアーと釣針を収容した状態の模式図
【考案を実施するための形態】
【００１９】
以下、本考案の一実施例を説明すると、可撓性素材（可撓性樹脂、例えば、シリコン樹脂）でなる有底袋部１を有しており、この袋部１には、ルアーＡ、釣針Ｂ、図示しない、その他の釣具（総称する場合は、ルアーＡとする）を収容できる。袋部１は、下部１ｂが円筒の筒状１００で、上部１ａが扁平筒状１０１とする。これにより、袋部１に、ルアーＡを収容するには、扁平筒状１０１を、筒形状に膨らませ、この膨らんだ状態で収容する。尚、扁平筒状１０１で収容することも可能である。また、扁平筒状１０１は、収容したルアーＡの飛出し防止を図る。１０２は、袋部１の開口である。
【００２０】
この袋部１の開口１０２の背部１０２ａ（図１−２参照）には、袋部１より上方に向かって（延設方向Ｘ）延設する帯部２を有する。この帯部２の端には、延設方向Ｘに向かった環状部３を連設し、環状部３の外側３ａ（開放側）には、第１の係止手段を、また、環状部３の内側３ｂ（接続側）には、第２の係止手段をそれぞれ設ける。
【００２１】
この第１の係止手段は、外側３ａの接線方向Ｙ（面方向で点接触した直線方向）に向かって第１枝部５を設ける。この第１枝部５の両端部５ａ、５ｂ（一方端部と他方端部）に、それぞれ設けた第１の係止手段の球体６（第１球体６）と、第１の係止手段の環体７（第１環体７）とを有する。
【００２２】
また、第２の係止手段は、環状部３の内側３ｂの一方端部の放射方向Ｚに延設した第２枝部８と、第２枝部８の自由端に設けた第２の係止手段の第２球体６０（第２球体６０）と、環状部３の内側３ｂの他方端部に設けた第２の係止手段の環体７０（第２環体７０）とで構成する。
【００２３】
尚、この第１球体６（第１環体７）と第２球体６０（第２環体７０）とは、図において、対峙方向であるが、一例である。尚、対峙方向による構造（実施例の構造）では、第１球体６を、第２環体７０に差込み、第１係止輪３０を形成し、かつ第２球体６０を、第１環体７に差込み、第２係止輪３１を形成した場合に、それぞれ逆方向に、引抜き応力が発生することになり、この第１係止輪３０と、第２係止輪３１の離脱防止に有効となる。第１、２係止輪３０、３１は、例えば、図５に示した、手摺Ｆの棒材、又は、図示しないが、釣竿Ｃの棒材、船舶の棒材、釣場の棒材、枝等に、それぞれ係止、かつ支持される。尚、前記環状部３は、例えば、図３−１、図３−２に示したロッドホルダＤに、或いは、図示しないが、釣竿Ｃに、それぞれ係止、かつ支持される。また、第１球体６を、第１環体７に差込み支持し、第４係止輪３３（第４の係止手段）を形成することで、例えば、図６に示した釣竿Ｃに、係止、かつ支持すること、又は図示しないが、ロッドホルダＤに、或いは、船舶の棒材、釣場の棒材、枝等に、それぞれ係止、かつ支持することも可能である。
【００２４】
また、袋部１の底部１０３の外側１ｃ（図１−２、図２−１等参照。背部）の接線方向Ｙに向かって第３枝部１０を設ける。この第３枝部１０の両端部１０ａ、１０ｂ（一方端部と他方端部）に、それぞれ設けた第３の係止手段の球体６００（第３球体６００）と、第３の係止手段の環体７００（第１環体７００）とを有する。この第３環体７００と第３球体６００は、第１環体７と、第１球体６とは、図１−１に示した如く、対称であるが、一例である。そして、この第３球体６００と、第３環体７００は、第３球体６００を、第３環体７００に差込み、第３係止輪３２を形成する。この第３係止輪３２は、例えば、図６に示した釣竿Ｃに、係止、かつ支持すること、又は図示しないが、船舶の棒材、釣場の棒材、枝等に、それぞれ係止、かつ支持することも可能である。また、図示しないが、第３係止輪３２に釣針Ｂを、係止（支持）することも可能である。また、袋部１の底部１０３の正面１ｄ（図１−２、図２−１等参照）には、リング１１を設ける。このリング１１は、前記第３係止輪３２に準ずる。
【００２５】
以下、好ましい、使用状態の各例を説明する。
【００２６】
図２−１は、第１〜第３係止輪３０〜３２を形成し、かつ開口１０２を、図示しないが、拡開した状態において、袋部１に大型のルアーＡ等を収容し、開口１０２を戻して、扁平筒状１０１とする。これにより、例えば、ルアーＡ等の飛出し、離脱防止等に有効である。また、図２−２は、第１〜第３係止輪３０〜３２を形成することなく、ルアーＡ等を収容した状態で、前記図２−１に準ずる。
【００２７】
図３−１は、船舶ＥのキャビンＧに設けたロッドホルダＤに、収容具を係止、支持する。例えば、収容具の環状部３を、ロッドホルダＤの上に、差込み支持し、このロッドホルダＤに釣竿Ｃを差込み、支持した後に、釣針Ｂを、リング１１に係止、支持した状態の斜視図である。また、図３−２は、図３−１と同じように、ロッドホルダＤに、収容具を係止、支持した後に、この係止具の袋部１に、大型のルアーＡを収容した状態の斜視図である。尚、釣針Ｂを、袋部１の外側に支持する状態であるが、袋部１内に収容する方法も可能である。図３−３は、ロッドホルダＤに、直接、釣竿Ｃを差込み支持した状態で、ロッドホルダＤの横板Ｄ１の孔を利用して、釣針Ｂを係止、支持する斜視図である。図示しないが、係止具の使用態様は、図３−１等に準ずる。
【００２８】
図４は、船舶Ｅの舷Ｅ１に、ロッドホルダＤを取付けた斜視図であり、このロッドホルダＤに釣竿Ｃを差込み支持した状態の斜視図であり、図示しないが、係止具の使用態様は、図３−１等に準ずる。
【００２９】
図５は、船舶Ｅの舷Ｅ１の手摺Ｆに、ロッドホルダＤを取付けた状態において、収容具を、手摺Ｆに捲装（係止）、支持した状態であり、この例では、手摺Ｆに、第１球体６を、第２環体７０に差込むことで、一方を、第１係止輪３０を形成し捲装、支持するとともに、第２球体６０を、第１環体７に差込むことで、他方を、第２係止輪３１を形成し捲装、支持することで、手摺Ｆに、第１・第２係止輪３０、３１を介して、収容具を、係止、支持する。この支持された収容具の袋部１に、ルアーＡ等を収容する構造である。
【００３０】
図６は、釣竿Ｃの一方（上方）に、第４係止輪３３を、捲装、支持する。例えば、第１球体６を、第１環体７に差込み、第４係止輪３３を形成し、この第４係止輪３３を介して、収容具を、釣竿Ｃに、係止、支持する。また、他方（下方）に、第３係止輪３２を、捲装、支持する。例えば、第３球体６００を、第３環体７００に差込み、第３係止輪３２を形成し、この第３係止輪３２を介して、収容具を、係止、支持する。その収容方法は、前述の各例に準ずる。尚、図示しないが、第４係止輪３３を、ロッドホルダＤに捲装（係止）、支持する方法も可能である。この第４係止輪３３は、図６に示した釣竿Ｃの他の、船舶Ｅに装備、又はセットされる棒材への係止、支持に有効である。
【００３１】
以上で説明した、第１係止輪３０〜第４係止輪３３と、ロッドホルダＤ、釣竿Ｃ等との係止、支持する方法は、一例であり、種々の方法があることは勿論であり、各実施例に限定されない。また、係止具を、ベルト、衣服、車輌等の物へ、係止、支持することも当然に可能である。
【００３２】
前述した各構造は、本考案の好ましい一例の説明である。従って、本考案は上述した各実施例に限定されるものではなく、考案の趣旨の範囲において構成の一部を変更する構造とか、同じ特徴と効果を達成できる構造、等は、本考案の範疇である。
【符号の説明】
【００３３】
１        袋部
１ａ      上部
１ｂ      下部
１ｃ      外側
１ｄ      正面
１００    筒状
１０１    扁平筒状
１０２    開口
１０２ａ  背部
１０３    底部
２        帯部
３        環状部
３ａ      外側
３ｂ      内側
５        第１枝部
５ａ      端部
５ｂ      端部
６        第１球体
７        第１環体
６０      第２球体
７０      第２環体
６００    第３球体
７００    第３環体
８        第２枝部
１０      第３枝部
１０ａ    端部
１０ｂ    端部
１１      リング
３０      第１係止輪
３１      第２係止輪
３２      第３係止輪
３３      第４係止輪
Ａ        ルアー
Ｂ        釣針
Ｃ        釣竿
Ｄ        ロッドホルダ
Ｄ１      横板
Ｅ        船舶
Ｅ１      舷
Ｆ        手摺
Ｇ        キャビン
Ｘ        延設方向
Ｙ        接線方向
Ｚ        放射方向
【図１−１】
0003185430.tif 000003
【図１−２】
0003185430.tif 000004
【図２−１】
0003185430.tif 000005
【図２−２】
0003185430.tif 000006
【図３−１】
0003185430.tif 000007
【図３−２】
0003185430.tif 000008
【図３−３】
0003185430.tif 000009
【図４】
0003185430.tif 000010
【図５】
0003185430.tif 000011
【図６】
0003185430.tif 000012